(57)【要約】      （修正有）【課題】ストラップ脱着時にレジャーバッグ側にストラップベルトの一部が残らず、ストラップベルトに大きな荷重がかかったときにもベルトが外れないストラップマウントを提供する。【解決手段】レジャーバッグ用のストラップマウントは、エチレン−酢酸ビニル共重合体を含む樹脂でなり、中央にスロットを有する略平坦な本体部１と、本体部１から突出する断面逆Ｕ字形の半円筒部であって、その断面逆Ｕ字形の一方の端部で本体部１と連続している半円筒部３と、半円筒部３の断面逆Ｕ字形の他方の端部と連続しており本体部１と同一面上に延在してスロットの一部と相補的な形状をなす舌部とを具える。【選択図】図４
0003227754.tif 000002
【実用新案登録請求の範囲】
【請求項１】
ストラップマウントであって、エチレン−酢酸ビニル共重合体を含む樹脂でなり、中央にスロットを有する略平坦な本体部と、当該本体部から突出する断面逆Ｕ字形の半円筒部であって、その断面逆Ｕ字形の一方の端部で前記本体部と連続している半円筒部と、当該半円筒部の断面逆Ｕ字形の他方の端部と連続しており前記本体部と同一面上に延在して前記スロットの一部と相補的な形状をなす舌部とを具えることを特徴とするストラップマウント。
【請求項２】
請求項１に記載のストラップマウントにおいて、さらに、前記半円筒部に回動可能に通される環状部材を具えることを特徴とするストラップマウント。
【請求項３】
請求項２に記載のストラップマウントにおいて、前記舌部とその周囲の本体部の一部が、高周波加熱溶融圧着により一体化されていることを特徴とするストラップマウント。
【請求項４】
請求項１乃至３のいずれかに記載のストラップマウントを両側部に固着してなるレジャーバッグ。
【考案の詳細な説明】
【技術分野】
【０００１】
本考案は、ストラップマウントおよびレジャーバッグに関し、特に、ストラップベルトを取り付けるためのマウントパーツおよび当該マウントパーツを取り付けたボックス型のレジャーバッグに関する。
【背景技術】
【０００２】
従来、釣り道具としてバッカンと呼ばれる汎用のレジャーバッグがある。バッカンの多くはＥＶＡ素材で成型され、軽量で防水性が高いため、撒き餌や釣った魚を入れたり、小物やウェアなどを収容したりする用途に広く用いられている。バッカンの両側部にはストラップベルトが固定され、ストラップベルトを肩にかけてバッカンを運搬できるようになっている（例えば、特許文献１）。
【先行技術文献】
【特許文献】
【０００３】
【特許文献１】特開２００１−２８６２５２号公報
【考案の概要】
【考案が解決しようとする課題】
【０００４】
しかしながら、従来のバッカンはその両側部のストラップマウントにストラップベルトが直接結合され、ストラップベルトの中間部で雄雌のバックルによって着脱可能となっている。このため、ストラップベルト全体をバッカンから取り外すことができず洗浄時などに不便であるともに、大きな荷重がかかると雌雄のバックルが外れてしまう危険性があった。
【０００５】
解決しようとする問題点は、ストラップの脱着時にレジャーバッグ側にストラップベルトの一部が残る点と、またストラップベルトに大きな荷重がかかったときにバックルが外れてしまう点である。
【課題を解決するための手段】
【０００６】
本考案の一態様は、ストラップマウントであって、エチレン−酢酸ビニル共重合体を含む樹脂でなり、中央にスロットを有する略平坦な本体部と、当該本体部から突出する断面逆Ｕ字形の半円筒部であって、その断面逆Ｕ字形の一方の端部で前記本体部と連続している半円筒部と、当該半円筒部の断面逆Ｕ字形の他方の端部と連続しており前記本体部と同一面上に延在して前記スロットの一部と相補的な形状をなす舌部とを具えることを特徴とするストラップマウントに関する。
【０００７】
本考案のストラップマウントは、さらに、前記半円筒部に回動可能に通される環状部材を具えることが好ましい。
【０００８】
本考案のストラップマウントにおいて、前記舌部とその周囲の本体部の一部が、高周波ウェルダーによる加熱溶融圧着により一体化されていることが好ましい。
【０００９】
本考案の別の態様は、上記のストラップマウントを両側部に固着してなるレジャーバッグに関する。このレジャーバッグ本体もＥＶＡ素材でなり、レジャーバッグ本体とストラップマウントは高周波ウェルダーにより加熱溶融圧着されることが好ましい。
【考案の効果】
【００１０】
本考案によれば、適度な柔軟性のあるエチレン−酢酸ビニル共重合（ＥＶＡ）樹脂でなるストラップマウントであって、舌部を持ち上げて環状部材（いわゆるＤ環）を半円筒部に通すことができ、その後に高周波ウェルダーでストラップマウントをレジャーバッグに圧着すると同時に舌部をその周囲の本体部と溶融圧着させることにより、強固で頑丈なストラップマウントおよびレジャーバッグを提供することができるという利点がある。
【００１１】
また、本考案のストラップマウントを用いると、バネで開放可能な接続金具（いわゆるナス環）を介して環状部材（Ｄ環）にストラップベルトを着脱することができ、したがって高い荷重に耐えられるとともに脱着時にレジャーバッグ側にストラップベルトの一部が残らない、使い勝手のよいストラップマウントおよびレジャーバッグを得ることができる。
【図面の簡単な説明】
【００１２】
【図１】図１は、本考案にかかるストラップマウントの斜視図である。
【図２】図２は、ストラップマウントの概略平面図である。
【図３】図３は、ストラップマウントにＤ環を装着する方法を示す概略図である。
【図４】図４は、ストラップマウントにＤ環を装着した状態を示す斜視図である。
【図５】図５は、本考案のストラップマウントを固定したレジャーバッグ（いわゆるバッカン）の全体斜視図である。
【考案を実施するための形態】
【００１３】
本考案の実施の形態について、添付の図面を参照しながら以下に詳細に説明する。図１は本考案にかかるストラップマウントの斜視図であり、図２はストラップマウントの概略平面図である。図１に示すように、本考案のストラップマウントは、略長方形の板状に形成された本体部１と、当該本体部から突出する断面逆Ｕ字形の半円筒部３と、本体部１のスロット１ａと相補形をなす舌部５とを具える。
【００１４】
このストラップマウントはエチレン−酢酸ビニル共重合体（ＥＶＡ）とポリエチレン（ＰＥ）を混合した材料を射出成型して製造され、指で撓ませられる程度の弾性を有する。
【００１５】
成型時、図２に太い実線７で示す箇所は材料が不連続となっている。すなわち、半円筒部３の断面逆Ｕ字形の一方の端部３ａは本体部１と連続しており、半円筒部３の他方の端部３ｂは舌部５と連続している。本体部１と舌部５とは半円筒部３を介して繋がっているが、舌部５と本体部１自体は切り離されている。舌部３が延在するスロット１ａの周囲は、補強のため本体部１に厚みを設けて構成されている。
【００１６】
このように構成されたストラップマウントをバッカン（レジャーバッグ）に取り付けるには、図３に示すように、まず舌部５を指で持ち上げてＤ環と呼ばれる環状部材９の基軸９ａを半円筒部３の内側に納める。このときストラップマウントはＰＥＶＡ素材でなり可撓性を有するため、図３のように舌部５を持ち上げて簡単にＤ環９を装着することができる。装着後の状態を図４に示す。Ｄ環９は半円筒部３内で回動可能である。
【００１７】
次に、半円筒部３（および環状部材９）を除く全体をバッカン（例えば図５の符号１２）の側部シート（図５の符号１２ａ）に高周波ウェルダー（図示せず）によって加熱溶融圧着する。高周波ウェルダーは、高周波誘電加熱によってシート状または板状の熱可塑性樹脂を溶接する技術であり、金型で押さえたストラップマウントに圧力をかけながら高周波電界を加えて昇温させ、樹脂を半液相状態まで溶かしてつなぎ合わせ、その後加熱を止め圧縮状態を保持したまま冷却することで固定するものである。
【００１８】
このとき用いられる金型は、ストラップマウントの平坦部分（すなわち本体部１と舌部５）に対応する部分のみが設けられ、半円筒部３に対応する部分は切り欠かれて半円筒部３（およびＤ環９）を逃がすように構成されている（図示せず）。これによりＤ環９がストラップマウントと固着することなく、本体部１と舌部５が溶融圧着により互いに、およびバッカンの側部シートと一体化し、強固に連結される。
【００１９】
図５は、本考案のストラップマウントを固定したレジャーバッグ（いわゆるバッカン）１２の全体斜視図である。レジャーバッグ１２の側部シート１２ａに圧着されたストラップマウントのＤ環９にナス環１４を連結して、ストラップベルト１６をわたすことができる。ストラップベルトを取り外すとレジャーバッグ１２側にベルトが残らないため取り回しがよくなり、洗浄等を容易に行うことができる。また、挿入型のバックルで連結せずに、強度のあるナス環１４を用いることができるため大きな荷重がかかってもベルトが外れることがない。
【産業上の利用可能性】
【００２０】
本考案のストラップマウントは、釣り具のバッカンに好適に用いることができるが、クーラーボックスやリュックといった他のバッグや、例えば安全ベルトや車両の固定ベルトのマウントとしてなど、他にもＥＶＡ材料にストラップベルトを取り付ける多くの用途に用いることができる。
【符号の説明】
【００２１】
１    本体部
１ａ  スロット
３    半円筒部
５    舌部
９    Ｄ環（環状部材）
１２  レジャーバッグ（バッカン）
１４  ナス環（接続金具）
１６  ストラップベルト
【図１】
0003227754.tif 000003
【図２】
0003227754.tif 000004
【図３】
0003227754.tif 000005
【図４】
0003227754.tif 000006
【図５】
0003227754.tif 000007